(57)【要約】【課題】印字ジョブを実行する際において、ユーザ側で指定しなくても所望する用紙に印字することができる画像記録装置を提供する。【解決手段】印字用紙を給紙する複数のカセット８を備え、ネットワーク接続された外部装置ＰＣ１〜ＰＣｎからの印字ジョブを受信可能な画像記録装置Ｆにおいて、印字ジョブを送信する送信元と上記カセット８のいずれかとを対応付けて登録するカセット登録手段２ａと、印字ジョブを実行するときには、印字ジョブを送信した上記送信元を検出し、上記カセット登録手段２ａを参照して、これに対応して登録されている上記カセット８から印字用紙を供給する制御手段（ＣＰＵ１）とを備えている。【選択図】図３
2006211307.tif 000002
【特許請求の範囲】
【請求項１】
印字用紙を給紙する複数のカセットを備え、ネットワーク接続された外部装置からの印字ジョブを受信可能な画像記録装置において、
印字ジョブを送信する送信元と上記カセットのいずれかとを対応付けて登録するカセット登録手段と、印字ジョブを実行するときには、印字ジョブを送信した上記送信元を検出し、上記カセット登録手段を参照して、これに対応して登録されている上記カセットから印字用紙を供給する制御手段とを備えたことを特徴とした画像記録装置。
【請求項２】
請求項１において、
上記制御手段は、受信した印字ジョブからそれを送信した上記外部装置を検出することを特徴とした画像記録装置。
【請求項３】
請求項１において、
上記制御手段は、受信した印字ジョブからそれを送信した上記外部装置のユーザを検出することを特徴とした画像記録装置。
【発明の詳細な説明】
【技術分野】
【０００１】
本発明は、ネットワークを通じて外部装置と通信を行うプリンタ機能を備えた画像記録装置に関する。
【背景技術】
【０００２】
従来のネットワーク接続された画像記録装置で、外部装置からの印字ジョブを実行する場合には、所定のカセットから用紙を供給するので、例えば再生紙に印字したい場合は、手差しで用紙を供給させるか、若しくはユーザ側で再生紙がセットされたカセットを指定してから、印字ジョブを送信する必要があり、利便性が悪く問題となっている。
近時はコストの削減や資源の無駄を省くため、複数あるカセットを、新生紙をセットしたもの、再生紙や裏紙をセットしたもの等といったように分けてセットしておき、印字させる用紙を区別して利用するケースがよくみられるため、自動的にカセットを指定できるものが求められている。
【０００３】
下記特許文献１には、複数の回線を収容可能なファクシミリ装置において、各回線に対応して出力するビンを登録する手段を有するファクシミリ装置が開示されている。
【特許文献１】特開平１１−３０８４０３号公報
【発明の開示】
【発明が解決しようとする課題】
【０００４】
しかしながら、上記特許文献１によれば、ファクシミリ受信時において、受信時に使用した回線に対応して出力するビンを登録することができるので、受信原稿を配布する場合等においては、効率よく行うことができるが、印字ジョブを実行する際には使用するカセットを自動的に指定することができず、上述の問題は解決されていなかった。
【０００５】
本発明は、このような問題を解決するために提案されるものであり、印字ジョブを実行する際において、ユーザ側で指定しなくても所望する用紙に印字することができる画像記録装置を提供することを課題とするものである。
【課題を解決するための手段】
【０００６】
上記課題を達成するために提案される請求項１の画像記録装置は、印字用紙を給紙する複数のカセットを備え、ネットワーク接続された外部装置からの印字ジョブを受信可能であって、印字ジョブを送信する送信元と上記カセットのいずれかとを対応付けて登録するカセット登録手段と、印字ジョブを実行するときには、印字ジョブを送信した上記送信元を検出し、上記カセット登録手段を参照して、これに対応して登録されている上記カセットから印字用紙を供給する制御手段とを備えたことを特徴とする。
すなわち、印字ジョブを送信した送信元に対応して、予め設定登録されているカセットを自動的に選択し印字用紙を給紙するものである。
【０００７】
請求項２では、請求項１において、上記制御手段は、受信した印字ジョブからそれを送信した上記外部装置を検出することを特徴とする。
すなわち、印字ジョブを送信した外部装置を検出し、これに対応して予め設定登録されているカセットを自動的に選択し印字用紙を給紙するものである。
【０００８】
請求項３では、請求項１において、上記制御手段は、受信した印字ジョブからそれを送信した上記外部装置のユーザを検出することを特徴とする。
すなわち、印字ジョブを送信した外部装置のユーザを検出し、これに対応して予め設定登録されているカセットを自動的に選択し印字用紙を供給するものである。
【発明の効果】
【０００９】
本発明の請求項１乃至３によれば、印字ジョブを送信する送信元とカセットのいずれかとを対応付けて登録するカセット登録手段と、印字ジョブを実行するときには、印字ジョブを送信した上記送信元を検出し、上記カセット登録手段を参照して、これに対応して登録されている上記カセットから印字用紙を供給する制御手段を備えているので、送信元に対応して、予め設定登録されているカセットを自動的に選択し印字用紙を給紙させることができる。
【００１０】
特に請求項２においては、印字ジョブを実行する際には、印字ジョブを送信した外部装置が検出され、これに対応して登録されているカセットの印字用紙が供給されるため、例えば普段再生紙に印字出力させれば十分と思われる作業を行う外部装置においては、印字ジョブを実行する度に再生紙が納められているカセットを指定する必要がなくなる。
よって、再生紙を使う外部装置や、新生紙を使う外部装置が混在する環境において、利便性が向上する。
【００１１】
特に請求項３によれば、印字ジョブを実行する際には、印字ジョブを送信したユーザが検出され、これに対応して登録されているカセットの印字用紙が供給されるため、例えば普段再生紙に印字を行いたいユーザにおいては、印字ジョブを実行する度に再生紙が納められているカセットを指定する必要がなくなる。
よって再生紙を使うユーザや、新生紙を使うユーザが混在する環境において、利便性が向上する。
【発明を実施するための最良の形態】
【００１２】
以下に、本発明の実施の形態について説明する。
【実施例１】
【００１３】
図１は、本発明の画像記録装置の要部構成の一例を示す図、図２は本発明の画像記録装置を用いたネットワークシステムの構成の一例を示す図である。なお、ここでは、画像記録装置の一例としてファクシミリ機能を有したプリンタ装置の構成を示しているが、ネットワーク接続され外部装置からの印字ジョブを実行し、それにより画像データをプリントアウトできる構成のものであれば何を用いてもよい。
【００１４】
プリンタ装置Ｐは、少なくともこのプリンタ装置Ｐを制御するＣＰＵ１と、種々の処理のためにデータを記憶するＲＡＭ２と、動作するのに必要なプログラムなどを格納するＲＯＭ３と、液晶画面などで構成した表示部４と、各種操作キーなどで構成した操作部５と、電話回線Ｌ１に対する接続制御をするＮＣＵ６と、ファクシミリ通信のために必要な各種信号の変復調をするモデム７と、印字する際に供給する用紙を納めておくカセット８と、用紙に画像データを記録して排出トレーに排出するプリンタ９と、プリンタ装置をＬＡＮ（Ｎ）に接続するためのＬＡＮインタフェース１０とを備えている。
【００１５】
ＲＡＭ２は、カセット登録手段２ａを備えており、後述の図４（ａ）（ｂ）に示すようなテーブルＴ１、Ｔ２が記憶されている。
カセット８は、用紙のサイズ、材質、色等に分けて用紙を納めておけるように複数備えており、図２では、プリンタ装置Ｐのカセット８として、カセット「１」「２」「３」を示しているがカセット８の数はこれに限定されるものではない。
【００１６】
図２のネットワークの構成では、上述のプリンタ装置Ｐと、外部装置ＰＣ１〜ＰＣｎがＬＡＮのケーブルＮを通じて接続されている。この例では、ケーブルＮによって有線接続されているが、ワイヤレスインターフェースで構成し、ワイヤレス接続されたものでもよい。
ここで、外部装置ＰＣ１〜ＰＣｎは、例えばパソコンで構成され、制御部、ＣＲＴ、液晶ディスプレイなどで構成される表示操作部、ＲＡＭ、ＲＯＭ、通信インタフェース等を備えている。
【００１７】
次に、このプリンタ装置Ｐの特徴的な動作処理について説明する。
本発明のプリンタ装置Ｐは、印字ジョブを送信する送信元とカセット８のいずれかとを対応付けて登録するカセット登録手段２ａと、印字ジョブを実行するときには、印字ジョブを送信した上記送信元を検出し、上記カセット登録手段２ａを参照して、これに対応して登録されている上記カセットから印字用紙を供給する制御手段（ＣＰＵ１）とを備えた点を特徴とする。
ここで検出される送信元とは、ネットワークで接続される外部装置ＰＣ１〜ＰＣｎ或いはこれを使用するユーザ等である。
【００１８】
図３はプリンタ装置の制御部の処理手順の一例を示すフローチャートである（ステップ１００〜１０５）。
ここでは、検出される送信元は外部装置ＰＣ１〜ＰＣｎとし、これに基づいて制御されるプリンタ装置Ｐの処理手順を示している。
まず、ユーザの操作によって外部装置ＰＣ１〜ＰＣｎからの印字ジョブをプリンタ装置Ｐが受信すると（ステップ１００）、印字ジョブを送信した送信元の外部装置ＰＣ１〜ＰＣｎを特定し（ステップ１０１）、これに基づいてカセット登録手段２ａを参照し（ステップ１０２）、ここに登録されていれば、登録されているカセット８から、印字用紙を供給し（ステップ１０３）、プリントアウトさせる（ステップ１０４）。
一方、カセット登録手段２ａに登録されていない場合は、所定のカセット８から印字用紙を供給し（ステップ１０５）、プリントアウトさせる（ステップ１０４）。
なお、フローチャートでは示していないが、制御手段が送信元を検出する対象を外部装置ＰＣ１〜ＰＣｎを使用するユーザとしもよい。この場合は、ステップ１０１の処理を印字ジョブを送信した送信元外部装置ＰＣ１〜ＰＣｎのユーザを特定する構成とすれば、上記と同様の処理手順で適用可能であることは言うまでもない。
【００１９】
ここで送信元を検出する制御手段は、送信されるジョブとともに認識できる端末名等に基づいて送信元を特定することができる。また送信元の外部装置ＰＣ１〜ＰＣｎのユーザを特定したい場合は、送信されるジョブとともに認識できるユーザの識別情報（ユーザＩＤ等）に基づき特定することができる。
【００２０】
図４（ａ）（ｂ）は、カセット登録手段に記憶されているテーブルの例を示した図である。
このテーブルＴ１、Ｔ２には、プリンタ装置Ｐとネットワーク接続された外部装置名や外部装置を使用するユーザ名と、所望するカセットとを対応付けて登録されている。
例えば、外部装置名「ＰＣ１」に対して、カセット「１」が登録されている（図４（ａ）参照）。また、ユーザ名「ａｂｃ」に対して、カセット「２」が登録されている（図４（ｂ）参照）。よって、外部装置名「ＰＣ１」から印字ジョブがプリンタ装置Ｐに送信された場合、プリンタ装置Ｐはカセット「１」から印字用紙を供給してジョブを実行する。またユーザ名「ａｂｃ」から印字ジョブがプリンタ装置Ｐに送信された場合、プリンタ装置Ｐはカセット「２」から印字用紙を供給してジョブを実行することとなる。
なお、テーブルＴ１、Ｔ２の構成はこれに限られず、外部装置名とユーザ名を混在させたものであってもよい。
【００２１】
図５は、カセット登録手段への登録処理手順の一例を示すフローチャートである（ステップ２００〜２０３）。
プリンタ装置Ｐの操作部５よりカセット「１」の送信元外部装置名を登録し（ステップ２００）、次いでカセット「２」及びカセット「３」の送信元外部装置名を順次登録していく（ステップ２０１、２０２）。
ここで登録するのはユーザ名であってもよいことは言うまでもない。
【図面の簡単な説明】
【００２２】
【図１】本発明の画像記録装置の要部構成の一例を示す図である。
【図２】本発明の画像記録装置を用いたネットワークシステムの構成の一例を示す図である。
【図３】本発明の画像記録装置の処理手順を説明するためのフローチャートを示した図である。
【図４】カセット登録手段のテーブルの一例を示す図である。
【図５】本発明の画像記録装置の登録処理手順を説明するためのフローチャートを示した図である。
【符号の説明】
【００２３】
Ｐ    プリンタ装置（画像記録装置）
２ａ  カセット登録手段
Ｔ１、Ｔ２    テーブル
ＰＣ１〜ＰＣｎ  外部装置
【図１】
2006211307.tif 000003
【図２】
2006211307.tif 000004
【図３】
2006211307.tif 000005
【図４】
2006211307.tif 000006
【図５】
2006211307.tif 000007